(57)【要約】【課題】サイズが相対的に小さい校正媒体であっても、校正画像と併せてメディアウェッジを効率よく配置可能な校正用データ作成装置、方法及びプログラムを提供する。【解決手段】製版用データ７２が表す第１の画像領域１３０の中から一部の領域（トリム領域１３２）を抽出し、校正画像５４としての１つのトリム画像１５２を切り出す。校正用データ７８が表す第２の画像領域１５０の中に、切り出されたトリム画像１５２を配置する共に、複数のパッチからなるメディアウェッジ画像１５４をトリム画像１５２の周辺に配置する。【選択図】図７
2015000516.tif 000002
【特許請求の範囲】
【請求項１】
第１のサイズを有する刷版又は印刷媒体の上に少なくとも１つのコンテンツ画像を形成するための印刷用データに基づき、前記第１のサイズよりも小さい第２のサイズを有する校正媒体の上に校正画像を形成するための校正用データを作成する装置であって、
前記印刷用データが表す第１の画像領域の中から一部の領域を抽出し、前記校正画像としての１つのトリム画像を切り出す画像切出部と、
前記校正用データが表す第２の画像領域の中に、前記画像切出部により切り出された前記トリム画像を配置する共に、複数のパッチからなるメディアウェッジ画像を前記トリム画像の周辺に配置する画像配置部と
を備えることを特徴とする校正用データ作成装置。
【請求項２】
請求項１記載の装置において、
前記第１の画像領域には複数のページ領域が含まれ、
前記画像切出部は、前記複数のページ領域のうち２つ以上のページ領域を網羅するように抽出することで、２つ以上のページ画像からなる１つの前記トリム画像を切り出す
ことを特徴とする校正用データ作成装置。
【請求項３】
請求項１又は２に記載の装置において、
前記トリム画像と前記メディアウェッジ画像の間の配置関係を示す配置情報を取得する配置情報取得部を更に備え、
前記画像配置部は、前記配置情報取得部により取得された前記配置情報から特定される前記配置関係に従って、前記トリム画像及び前記メディアウェッジ画像をそれぞれ配置する
ことを特徴とする校正用データ作成装置。
【請求項４】
請求項３記載の装置において、
前記校正媒体として選択可能な複数種類のサイズの中から、前記トリム画像及び前記メディアウェッジ画像を併せて配置できる最小のサイズを、前記第２のサイズとして決定するサイズ決定部を更に備えることを特徴とする校正用データ作成装置。
【請求項５】
請求項１〜４のいずれか１項に記載の装置において、
前記画像配置部は、前記トリム画像が矩形状の画像領域を有する場合、前記トリム画像のいずれか一辺に沿って前記メディアウェッジ画像を配置することを特徴とする校正用データ作成装置。
【請求項６】
第１のサイズを有する刷版又は印刷媒体の上に少なくとも１つのコンテンツ画像を形成するための印刷用データに基づき、前記第１のサイズよりも小さい第２のサイズを有する校正媒体の上に校正画像を形成するための校正用データを作成する方法であって、
前記印刷用データが表す第１の画像領域の中から一部の領域を抽出し、前記校正画像としての１つのトリム画像を切り出す切出ステップと、
前記校正用データが表す第２の画像領域の中に、切り出された前記トリム画像を配置する共に、複数のパッチからなるメディアウェッジ画像を前記トリム画像の周辺に配置する配置ステップと
をコンピュータに実行させることを特徴とする校正用データ作成方法。
【請求項７】
第１のサイズを有する刷版又は印刷媒体の上に少なくとも１つのコンテンツ画像を形成するための印刷用データに基づき、前記第１のサイズよりも小さい第２のサイズを有する校正媒体の上に校正画像を形成するための校正用データを作成するためのプログラムであって、
前記印刷用データが表す第１の画像領域の中から一部の領域を抽出し、前記校正画像としての１つのトリム画像を切り出す切出ステップと、
前記校正用データが表す第２の画像領域の中に、切り出された前記トリム画像を配置する共に、複数のパッチからなるメディアウェッジ画像を前記トリム画像の周辺に配置する配置ステップと
をコンピュータに実行させることを特徴とする校正用データ作成プログラム。
【発明の詳細な説明】
【技術分野】
【０００１】
この発明は、第１のサイズを有する刷版又は印刷媒体の上に少なくとも１つのコンテンツ画像を形成するための印刷用データに基づき、前記第１のサイズよりも小さい第２のサイズを有する校正媒体の上に校正画像を形成するための校正用データを作成する校正用データ作成装置、方法及びプログラムに関する。
【背景技術】
【０００２】
例えば、オフセット印刷では、品質管理（ＱＣ；Quality Control）の一環として、国内外の標準規格に沿った印刷装置の運用が図られている。例えば、ＩＳＯ（International Standard Organization）１２６４７−２によれば、色の精度管理を評価する項目として、許容誤差やトーンカーブ等が列挙されている。
【０００３】
近時、印刷用データ（例えば、製版用データ）から直接的に印刷物を生産する印刷システム（いわゆるデジタル印刷）におけるプルーフにも、上記と同様に、ＩＳＯ等の標準規格に沿った精度管理の重要性が認知されつつある。そこで、校正印刷の際に、校正対象であるコンテンツ画像と共に、測色用のカラーパッチ群（以下、メディアウェッジともいう）を併せて印刷する技術が種々提案されている。
【０００４】
特許文献１では、インキキーを有する印刷機（例えば、オフセット印刷機）に好適なメディアウェッジの配置方法が提案されている。
【先行技術文献】
【特許文献】
【０００５】
【特許文献１】特許第４１６５０７１号公報（要約、図１〜図６等）
【発明の概要】
【発明が解決しようとする課題】
【０００６】
ところで、校正機の機能的な制約等から、実際の印刷に使用される出力サイズよりも小さいサイズの用紙上に校正画像を形成せざるを得ない場合がある。そうすると、校正印刷に供される校正用データとして、印刷用データをそのまま流用できないことが問題になる。
【０００７】
例えば、特許文献１の図２、図６に示すように、印刷用紙の端部にメディアウェッジが配置されている場合、サイズの制約上、メディアウェッジを校正印刷領域から除外せざるを得ない。つまり、印刷しようとするコンテンツ画像の配置によっては、メディアウェッジを用いた色校正を行えないという不都合があった。
【０００８】
本発明は、上記した課題を解決するためになされたものであり、サイズが相対的に小さい校正媒体であっても、校正画像と併せてメディアウェッジを効率よく配置可能な校正用データ作成装置、方法及びプログラムを提供することを目的とする。
【課題を解決するための手段】
【０００９】
本発明に係る校正用データ作成装置は、第１のサイズを有する刷版又は印刷媒体の上に少なくとも１つのコンテンツ画像を形成するための印刷用データに基づき、上記第１のサイズよりも小さい第２のサイズを有する校正媒体の上に校正画像を形成するための校正用データを作成する装置であって、上記印刷用データが表す第１の画像領域の中から一部の領域を抽出し、上記校正画像としての１つのトリム画像を切り出す画像切出部と、上記校正用データが表す第２の画像領域の中に、上記画像切出部により切り出された上記トリム画像を配置する共に、複数のパッチからなるメディアウェッジ画像を上記トリム画像の周辺に配置する画像配置部とを備える。
【００１０】
このように、印刷用データが表す第１の画像領域の中から一部の領域を抽出し、校正画像としての１つのトリム画像を切り出し、校正用データが表す第２の画像領域の中に、切り出された上記トリム画像を配置する共に、複数のパッチからなるメディアウェッジ画像を上記トリム画像の周辺に配置するようにしたので、サイズが相対的に小さい校正媒体であっても、校正画像と併せてメディアウェッジを効率よく配置できる。
【００１１】
また、上記第１の画像領域には複数のページ領域が含まれ、上記画像切出部は、上記複数のページ領域のうち２つ以上のページ領域を網羅するように抽出することで、２つ以上のページ画像からなる１つの上記トリム画像を切り出すことが好ましい。
【００１２】
また、上記トリム画像と上記メディアウェッジ画像の間の配置関係を示す配置情報を取得する配置情報取得部を更に備え、上記画像配置部は、上記配置情報取得部により取得された上記配置情報から特定される上記配置関係に従って、上記トリム画像及び上記メディアウェッジ画像をそれぞれ配置することが好ましい。
【００１３】
また、上記校正媒体として選択可能な複数種類のサイズの中から、上記トリム画像及び上記メディアウェッジ画像を併せて配置できる最小のサイズを、上記第２のサイズとして決定するサイズ決定部を更に備えることが好ましい。
【００１４】
また、上記画像配置部は、上記トリム画像が矩形状の画像領域を有する場合、上記トリム画像のいずれか一辺に沿って上記メディアウェッジ画像を配置することが好ましい。
【００１５】
本発明に係る校正用データ作成方法は、第１のサイズを有する刷版又は印刷媒体の上に少なくとも１つのコンテンツ画像を形成するための印刷用データに基づき、上記第１のサイズよりも小さい第２のサイズを有する校正媒体の上に校正画像を形成するための校正用データを作成する方法であって、上記印刷用データが表す第１の画像領域の中から一部の領域を抽出し、上記校正画像としての１つのトリム画像を切り出す切出ステップと、上記校正用データが表す第２の画像領域の中に、切り出された上記トリム画像を配置する共に、複数のパッチからなるメディアウェッジ画像を上記トリム画像の周辺に配置する配置ステップとをコンピュータに実行させる。
【００１６】
本発明に係る校正用データ作成プログラムは、第１のサイズを有する刷版又は印刷媒体の上に少なくとも１つのコンテンツ画像を形成するための印刷用データに基づき、上記第１のサイズよりも小さい第２のサイズを有する校正媒体の上に校正画像を形成するための校正用データを作成するためのプログラムであって、上記印刷用データが表す第１の画像領域の中から一部の領域を抽出し、前記校正画像としての１つのトリム画像を切り出す切出ステップと、上記校正用データが表す第２の画像領域の中に、切り出された上記トリム画像を配置する共に、複数のパッチからなるメディアウェッジを上記トリム画像の周辺に配置する配置ステップとをコンピュータに実行させる。
【発明の効果】
【００１７】
本発明に係る校正用データ作成装置、方法及びプログラムによれば、印刷用データが表す第１の画像領域の中から一部の領域を抽出し、校正画像としての１つのトリム画像を切り出し、校正用データが表す第２の画像領域の中に、切り出されたトリム画像を配置する共に、複数のパッチからなるメディアウェッジ画像をトリム画像の周辺に配置するようにしたので、サイズが相対的に小さい校正媒体であっても、校正画像と併せてメディアウェッジを効率よく配置できる。
【図面の簡単な説明】
【００１８】
【図１】この実施形態に係る校正用データ作成装置としての画像編集装置を組み込んだ印刷物生産システムの全体構成図である。
【図２】図２Ａは、図１に示す印刷物の概略正面図である。図２Ｂは、図１に示すプルーフの概略正面図である。
【図３】図１に示す画像編集装置の電気的なブロック図である。
【図４】図１及び図３に示す画像編集装置の動作説明に供されるフローチャートである。
【図５】メディアウェッジに関する設定画面を表す画像図である。
【図６】製版用データが表す第１の画像領域の模式図である。
【図７】図７Ａは、各配置領域の相対的位置関係を示す説明図である。図７Ｂは、校正用データが表す第２の画像領域の模式図である。
【図８】各配置領域の相対的位置関係を示す別の説明図である。
【発明を実施するための形態】
【００１９】
以下、本発明に係る校正用データ作成方法について、それを実施する校正用データ作成装置及びプログラムとの関係において好適な実施形態を挙げ、添付の図面を参照しながら詳細に説明する。
【００２０】
［印刷物生産システム１０の全体構成］
図１は、この実施形態に係る校正用データ作成装置としての画像編集装置２０を組み込んだ印刷物生産システム１０の全体構成図である。
【００２１】
印刷物生産システム１０内には、ネットワーク１２との接続を中継する機器であるルータ１４と、外部ネットワークに属する図示しない各端末装置からネットワーク１２を介してアクセス可能なサーバ装置１６と、サーバ装置１６等から取得したデータの編集等を含むＤＴＰ（Desktop Publishing）処理を行うためのＤＴＰ端末１８と、ＤＴＰ端末１８により処理されたコンテンツデータを面付けする画像編集装置２０と、画像編集装置２０により面付けされた出力用データに基づいてラスタライズ処理や色変換処理等の各画像処理を実行するＲＩＰ装置２２と、ＲＩＰ装置２２から送信された校正用データに基づいてプルーフ２４を印刷可能である校正機２６と、ＲＩＰ装置２２から送信された製版用データに基づいて刷版２８を作製するプレートセッタ３０と、刷版２８を装着して印刷物３２を形成可能であるオフセット印刷機３４と、が設けられている。
【００２２】
サーバ装置１６は、印刷物生産システム１０におけるワークフロー管理の中核をなす装置である。サーバ装置１６は、ルータ１４及びネットワーク１２を介して、デザイナ及び／又は制作会社（いずれも図示しない）が備える各端末装置に通信可能に接続されている。また、サーバ装置１６は、印刷物生産システム１０内に構築されたＬＡＮ（Local Area Network）３６を介して、ＤＴＰ端末１８、画像編集装置２０及びＲＩＰ装置２２に通信可能に接続されている。
【００２３】
すなわち、サーバ装置１６は、各種データファイルの格納・転送を司るファイルサーバとしての機能、各端末装置、各ユーザ、又は各印刷ジョブにおいて実行可能なタスク権限を管理する権限管理サーバとしての機能、又は、各工程の開始・終了等の所定のタイミングで通知メールを生成・配信するメールサーバとしての機能をそれぞれ実行可能に構成されている。
【００２４】
なお、ファイルサーバとして管理可能な各種データファイルには、例えば、コンテンツデータ、印刷用データ（例えば、製版用データ、刷版用データ、又は校正用データ）、ジョブチケット｛例えば、ＪＤＦ（Job Definition Format）ファイル｝、ＩＣＣ（International Color Consortium）プロファイル、色見本データ等が含まれる。
【００２５】
ＤＴＰ端末１８は、文字、図形、絵柄や写真等から構成されるコンテンツデータに対してプリフライト処理を施した後、ページ単位の画像データを作成する。画像編集装置２０は、ジョブチケットのタグ情報を参照しながら、指定された綴じ方法や紙折り方法に応じた面付け処理を行う。
【００２６】
ＲＩＰ装置２２は、少なくとも１種の印刷機に対する印刷処理サーバとして機能する。図１例では、ＲＩＰ装置２２は、校正機２６と、プレートセッタ３０とに通信可能に接続されている。この場合、ＲＩＰ装置２２は、ページ記述言語で記述されたＰＤＬ形式のデータ（以下、ページ記述データともいう）を各出力デバイスに適した出力用データに変換し、該出力用データを校正機２６又はプレートセッタ３０に供給する。
【００２７】
校正機２６は、ＲＩＰ装置２２から供給された校正用データ７８（図３）に基づいて、校正用紙３８（校正媒体）上に画像が形成されたプルーフ２４を出力する。校正機２６として、ＤＤＣＰ（Direct Digital Color Proofing）、インクジェットカラープルーファ、低解像度のカラーレーザプリンタ（電子写真方式）又はインクジェットプリンタ等を用いてもよい。
【００２８】
オフセット印刷機３４は、刷版２８及び図示しない中間転写体を介して、インキを印刷用紙４０（印刷媒体）の片面又は両面に付着させることで、印刷用紙４０上に画像が形成された印刷物３２を出力する。なお、オフセット印刷機３４に代替して、ダイレクト印刷のためのデジタル印刷機を設けてもよい。デジタル印刷機としては、インクジェット印刷機、ワイドフォーマット印刷機、インクジェットカラープルーファ、カラーレーザプリンタ等を用いてもよい。
【００２９】
図２Ａは、図１に示す印刷物３２の概略正面図である。本図に示すように、印刷用紙４０の印刷面４２上に、８ページ分の台割りを表す版面４４と、印刷の際に見当を合わせる目印としての４つの角トンボ４６ａ〜４６ｄと、４つの折りトンボ４８ａ〜４８ｄとがそれぞれ形成されている。以下、印刷面４２上に配置された１つ又は複数からなるコンテンツ画像の集合体をコンテンツ画像群５０と称する場合がある。
【００３０】
図２Ｂは、図１に示すプルーフ２４の概略正面図である。本図に示すように、校正用紙３８の印刷面５２上に、校正対象である校正画像５４と、複数のパッチからなるメディアウェッジ５６とがそれぞれ形成されている。メディアウェッジ５６は、一般的に、コントロールストリップ、あるいはカラーバーとも呼ばれる。パッチの色又は個数は任意に設定可能であり、ＩＳＯ、ＦＯＧＲＡ（Fogra Graphic Technology Research Association）等の標準規格に沿った色の精度管理が実現できることが一層好ましい。
【００３１】
なお、図２Ａ及び図２Ｂから理解されるように、プルーフ２４は、印刷物３２よりも小さいサイズ（辺の長さ又は面積）を有する。また、校正画像５４の描画形態は、図２Ａに示す版面４４の描画形態に略一致する。すなわち、プルーフ２４を用いることで、コンテンツ画像群５０のうち特定の画像部位（版面４４）に対して校正作業を行うことができる。
【００３２】
［画像編集装置２０の電気的なブロック図］
図３は、図１に示す画像編集装置２０の電気的なブロック図である。画像編集装置２０は、制御部６０と、通信Ｉ／Ｆ６２と、表示制御部６４と、表示部６６と、入力部６８と、メモリ７０（記憶媒体）とを備えるコンピュータである。
【００３３】
通信Ｉ／Ｆ６２は、外部装置からの電気信号を送受信するインターフェース（Ｉ／Ｆ）である。これにより、画像編集装置２０は、各種データ（例えば、校正用アクセサリデータ７６）をサーバ装置１６（図１）から取得可能であり、各種データ（例えば、面付けデータ７５）をサーバ装置１６に供給可能である。
【００３４】
表示制御部６４は、制御部６０の制御に従って、表示部６６を駆動制御する制御回路である。表示制御部６４が、図示しないＩ／Ｆを介して、表示制御信号を表示部６６に出力することで、表示部６６が駆動する。これにより、表示部６６は、ウィンドウＷ（図５参照）を含む各種画像を表示することができる。
【００３５】
入力部６８は、マウス、トラックボール、キーボード、タッチパネル等の種々の入力デバイスで構成される。表示部６６による表示機能及び入力部６８による入力機能を組み合わせることでユーザ・インターフェースを実現する。
【００３６】
メモリ７０は、制御部６０が各構成要素を制御するのに必要なプログラム及びデータ等を記憶している。本図例では、印刷用データとしての製版用データ７２（コンテンツデータ７４、面付けデータ７５を含む）、少なくとも１種類の校正用アクセサリデータ７６、及び校正用データ７８がそれぞれ格納されている。
【００３７】
メモリ７０は、非一過性であり、且つ、コンピュータ読み取り可能な記憶媒体で構成されてもよい。ここで、コンピュータ読み取り可能な記憶媒体は、光磁気ディスク、ＲＯＭ、ＣＤ−ＲＯＭ、フラッシュメモリ等の可搬媒体、コンピュータシステムに内蔵されるハードディスク等の記憶装置である。また、この記憶媒体は、短時間に且つ動的にプログラムを保持するものであっても、一定時間プログラムを保持するものであってもよい。
【００３８】
制御部６０は、ＣＰＵ（Central Processing Unit）等のプロセッサによって構成されている。制御部６０は、メモリ７０に格納されたプログラムを読み出し実行することで、校正用データ作成部８０、表示用データ作成部８２、及びラスタライズ処理部８４の各機能を実現可能である。
【００３９】
校正用データ作成部８０は、予め作成された製版用データ７２に基づき、校正に供される出力用データである校正用データ７８を作成する。具体的には、校正用データ作成部８０は、所定の配置情報を取得する配置情報取得部８６、製版用データ７２が表す画像領域の中から一部の領域を切り出す画像切出部８８、校正に供される校正用紙３８のサイズを決定するサイズ決定部９０、及び、校正画像５４及びメディアウェッジ５６（図２Ｂ参照）を所定位置に配置する画像配置部９２を備える。
【００４０】
表示用データ作成部８２は、設定画面１００を含むウィンドウＷ（図５参照）を表示部６６に表示させるための表示用データを作成する。
【００４１】
ラスタライズ処理部８４は、面付け処理済みのページ記述データに対してラスタライズ処理を実行する。このラスタライズ処理には、ＰＤＬ形式からラスタ形式に変換するデータ形式変換処理と、ＩＣＣプロファイルを用いたカラーマッチング処理とが含まれる。
【００４２】
［画像編集装置２０の動作］
この実施形態に係る校正用データ作成装置としての画像編集装置２０は、以上のように構成される。続いて、図１及び図３に示す画像編集装置２０の動作について、図４のフローチャートを主に参照しながら詳細に説明する。
【００４３】
ステップＳ１において、画像編集装置２０は、校正用データ７８の作成に供される設定画面１００の表示を行う。設定を開始する旨の指示に応じて、表示用データ作成部８２は、設定画面１００の表示用データを作成した後、該表示用データを表示制御部６４に供給する。そして、表示制御部６４は、ウィンドウＷ（設定画面１００を含む）を表示部６６に表示させる。
【００４４】
図５に示すように、設定画面１００上には、第１設定欄１０２、第２設定欄１０４、及び、［ＯＫ］及び［キャンセル］と表記されたボタン群１０６が配置されている。ユーザとしての作業者は、入力部６８を操作させながら、第１設定欄１０２又は第２設定欄１０４を介して各種設定を行うことができる。
【００４５】
第１設定欄１０２内には、１つのチェックボックス１０８、２つのプルダウンメニュー１１０、１１２、２つのテキストボックス１１４、１１６、１つのイラスト画像１１８がそれぞれ設けられている。第２設定欄１０４内には、一対のラジオボタン１２２（ラジオボタン１２２ａ、１２２ｂ）と、１つのプルダウンメニュー１２４がそれぞれ設けられている。
【００４６】
ステップＳ２において、制御部６０は、校正用データ７８の作成指示があったか否かを判定する。具体的には、制御部６０は、設定画面１００（図５）内のボタン群１０６（より詳細には、［ＯＫ］ボタン）のクリック操作を受け付けたか否かを判定する。まだ受け付けていない場合、当該操作を受け付けるまでステップＳ２に留まる。一方、受け付けた場合には次のステップ（Ｓ３）に進む。
【００４７】
ステップＳ３において、配置情報取得部８６は、校正画像５４とメディアウェッジ５６の間の配置関係を示す情報（以下、配置情報）を取得する。ここでは、配置情報取得部８６は、第１設定欄１０２からの入力情報を取得する。図５例に示すように、プルダウンメニュー１１２にて「Fogra-media-wedge.pdf」、プルダウンメニュー１１２にて「下」、テキストボックス１１４にて「２０．００」（単位：ｍｍ）、テキストボックス１１６にて「１０．００」（単位：ｍｍ）をそれぞれ取得したとする。
【００４８】
ステップＳ４において、校正用データ作成部８０は、校正対象である製版用データ７２を取得・解析する。解析に先立ち、校正用データ作成部８０は、例えばメモリ７０に格納された製版用データ７２を読み出して取得する。その後、校正用データ作成部８０は、コンテンツデータ７４及び面付けデータ７５の内容を参照することで、製版用データ７２が表す画像形態（例えば、印刷用紙４０のサイズ、各コンテンツの形状・色・位置・向き等）を解析する。
【００４９】
図６は、製版用データ７２が表す第１の画像領域１３０の模式図である。本図例では、印刷物３２（図２Ａ）の左上隅を原点Ｏ、その長手方向をＸ軸、その短手方向をＹ軸として、印刷面４２（同図）の上の二次元位置を定義している。ここで、第１の画像領域１３０は、製版用データ７２にて定義される画像領域であり、刷版２８又は印刷用紙４０のサイズ（第１のサイズ）に対応している。一方、ハッチングを付した領域は、製版用データ７２にて定義されない画像領域を示す。
【００５０】
ステップＳ５において、画像切出部８８は、ステップＳ４にて解析された第１の画像領域１３０の中から一部の領域を抽出し、当該領域に対応する画像を切り出す。画像切出部８８は、第１の画像領域１３０に含まれる複数のページ領域（図６例では、８つ）のうち、２つ以上を網羅するように抽出する。この実施形態では、８つの全ページ領域を含む版面４４（図２Ａ）に対応する矩形領域を抽出する。以下、抽出された一部の領域のことをトリム領域１３２という。
【００５１】
トリム領域１３２の指定方法は、例えば、第１の画像領域１３０上にあるトンボマーク（図２Ａの角トンボ４６ａ〜４６ｄ）の形状及び位置を検出し、推定された仕上がり領域を指定する方法であっても、入力部６８（図３）を介したマニュアル操作で指定する方法であってもよい。ここで、校正作業に必要な部分領域のみを選択・指定することで、校正用紙３８のサイズを小さく済ませることができる。
【００５２】
そして、画像切出部８８は、トリム領域１３２に対応する１つの画像、あるいは２つ以上の画像を切り出す。ここで、画像切出部８８は、２つ以上のページ領域を網羅する１つのトリム領域１３２を抽出するので、２つ以上のページ画像を含む１つのトリム画像１５２（後述する）を切り出すことになる。なお、トリム画像１５２のデータ形式は、ページ記述データであっても、ラスタ形式のデータであってもよい。
【００５３】
ステップＳ６において、サイズ決定部９０は、校正に供される校正用紙３８のサイズ（第２のサイズ）を決定する。この決定方法は、第２設定欄１０４（図５）での設定内容によって異なる。例えば、ラジオボタン１２２ａが選択された場合、サイズ決定部９０は、校正用紙３８のサイズを自動的に決定する。以下、図７Ａを参照しながら詳細に説明する。
【００５４】
サイズ決定部９０は、この決定処理に必要な配置情報を、配置情報取得部８６から予め取得する。ここでは、配置情報として、出力位置が「下」、第１オフセット（ａ）がａ＝２０ｍｍ、第２オフセット（ｂ）がｂ＝１０ｍｍである旨が取得される。また、ファイル名が「Fogra-media-wedge.pdf」である校正用アクセサリデータ７６も併せて取得される。
【００５５】
図７Ａは、各配置領域１３４、１３８の相対的位置関係を示す説明図である。２つのうち大きい方の配置領域１３４は、図６のトリム領域１３２（図２Ｂの校正画像５４に対応する）と同一のサイズを有する。この配置領域１３４の中には、８つのページ領域１３６が含まれている。一方、小さい方の配置領域１３８は、１つだけ選択された校正用アクセサリデータ７６が表す画像領域（図２Ｂのメディアウェッジ５６に対応する）と同一のサイズを有する。
【００５６】
出力位置が「下」である場合、配置領域１３４の下方の一辺１４０上の１点（例えば中点）が、基準点１４２として設定される。同様に、配置領域１３８の一辺（詳細には、上側長辺）上の１点（例えば中点）が、基準点１４４として設定されている。この場合、各配置領域１３４、１３８の配置関係は、基準点１４２、１４４、及びオフセット（ａ，ｂ）により特定される。画像領域上でのオフセット（ａ，ｂ）は、長さの単位（ｍｍ）から画素数（個）に換算した値に相当する。ここでは、第１オフセット（ａ）は上下方向成分に相当すると共に、第２オフセット（ｂ）は左右方向成分に相当する。なお、図５のイラスト画像１１８は、上記したオフセット（ａ，ｂ）の定義を模式的に表現している点に留意する。
【００５７】
そして、サイズ決定部９０は、校正用紙３８として選択可能な複数種類のサイズの中から、校正画像５４及びメディアウェッジ５６を併せて配置できる最小のサイズを、校正用紙３８のサイズとして決定する。具体的には、配置領域１３４、１３８の両方を網羅するサイズが１種類存在する場合にそのサイズが選択され、２種類以上存在する場合に最も小さいサイズが選択される。
【００５８】
なお、校正用紙３８のサイズの決定処理は、上記のように自動的に決定する場合に限られない。例えば、図５のラジオボタン１２２ｂが選択された場合、サイズ決定部９０は、プルダウンメニュー１２４にて指定されたサイズ（図５例では「Ａ１判」）を、校正用紙３８のサイズとして決定する。このように、作業者によるマニュアル操作を介して校正用紙３８のサイズを決定してもよい。
【００５９】
ステップＳ７において、画像配置部９２は、ステップＳ６で決定されたサイズに対応する画像領域（以下、第２の画像領域１５０）の中に、トリム画像１５２及びメディアウェッジ画像１５４をそれぞれ配置する。
【００６０】
図７Ｂは、校正用データ７８が表す第２の画像領域１５０の模式図である。本図例では、プルーフ２４（図２Ｂ）の左上隅を原点Ｏ、その長手方向をＸ軸、その短手方向をＹ軸として、印刷面５２（同図）の上の二次元位置を定義している。ここで、第２の画像領域１５０は、校正用データ７８にて定義される画像領域であり、校正用紙３８のサイズ（第２のサイズ）に対応している。一方、ハッチングを付した領域は、校正用データ７８にて定義されない画像領域を示す。
【００６１】
第２の画像領域１５０には、校正画像５４（図２Ｂ）に対応するトリム画像１５２と、メディアウェッジ５６に対応するメディアウェッジ画像１５４とが、図７Ａに示す配置関係に従って配置されている。トリム画像１５２は、一辺１４０に対向する他辺１５６（Ｘ軸）に沿って配置されている。また、メディアウェッジ画像１５４は、トリム画像１５２の下方に配置されている。
【００６２】
そして、校正用データ作成部８０は、図７Ｂの描画形態を表す校正用データ７８を作成した後、メモリ７０に一時的に記憶させる。その後、画像編集装置２０は、通信Ｉ／Ｆ６２を介し、ＲＩＰ装置２２に向けて校正用データ７８を送出する。
【００６３】
ステップＳ８において、ＲＩＰ装置２２は、ステップＳ７で作成された校正用データ７８に対して、校正機２６に適したラスタライズ処理を実行し、得られたラスタデータを校正機２６側に供給する。
【００６４】
ステップＳ９において、校正機２６は、ステップＳ８で作成されたラスタデータに基づいて、所望のプルーフ２４を出力する。このプルーフ２４の印刷面５２上には、図２Ｂに示すように、校正対象としての校正画像５４のみならず、色の精度管理に供されるメディアウェッジ５６も併せて形成されている。しかも、イラスト画像１１８（図５）に示す通り、オフセット（ａ，ｂ）＝（２０ｍｍ，１０ｍｍ）の位置関係を満たすように、校正画像５４及びメディアウェッジ５６が配置されている。
【００６５】
このようにして、校正用データ７８の作成の際における画像編集装置２０の動作は完了する。その後、作業者は、プルーフ２４の色校を実行する際に、メディアウェッジ５６を利用できる。例えば、メディアウェッジ５６を構成する各パッチを測色し、得られた測色値が目標の色値に近いか否かを判定してもよい。
【００６６】
ところで、メディアウェッジ５６の配置は図２Ｂ例に限られることなく、他の位置にも変更可能である。作業者は、プルダウンメニュー１１２（図５）にて、出力位置を「下」以外（例えば、右、上、左）に選択することで、メディアウェッジ５６の配置を簡便に変更できる。
【００６７】
図８は、各配置領域１３４、１３８（１３８ａ〜１３８ｃ）の相対的位置関係を示す別の説明図である。配置領域１３４、１３８、基準点１４２、１４４の定義については、図７Ａの場合と同様であるので説明を省略する。
【００６８】
出力位置が「右」である場合、基準点１４２ａは、配置領域１３４の右辺中点に相当する。同様に、基準点１４４ａは、上下方向に長尺である配置領域１３８ａの左辺中点に相当する。ここでは、第１オフセット（ａ）は左右方向成分に相当すると共に、第２オフセット（ｂ）は上下方向成分に相当する。
【００６９】
出力位置が「上」である場合、基準点１４２ｂは、配置領域１３４の右辺中点に相当する。同様に、基準点１４４ｂは、左右方向に長尺である配置領域１３８ｂの下側長辺の中点に相当する。ここでは、第１オフセット（ａ）は上下方向成分に相当すると共に、第２オフセット（ｂ）は左右方向成分に相当する。
【００７０】
出力位置が「左」である場合、基準点１４２ｃは、配置領域１３４の左辺中点に相当する。同様に、基準点１４４ｃは、上下方向に長尺である配置領域１３８ｃの右辺中点に相当する。ここでは、第１オフセット（ａ）は左右方向成分に相当すると共に、第２オフセット（ｂ）は上下方向成分に相当する。
【００７１】
このように定義することで、ステップＳ７において、画像配置部９２は、トリム画像１５２が矩形状の画像領域を有する場合、トリム画像１５２のいずれか一辺に沿ってメディアウェッジ画像１５４を配置する。これにより、両者の画像を効率的に配置可能になり、校正用紙３８のサイズを極力小さく設定することができる。
【００７２】
また、図５例では、出力位置（上下又は左右）が異なる場合であっても、共通のユーザコントロール（テキストボックス１１４、１１６）を介して、オフセットを入力可能に設けられている。そして、プルダウンメニュー１１２による指定変更に追従して、イラスト画像１１８の描画内容を変更させてもよい。この場合、イラスト画像１１８は、現時点で指定されている出力位置でのオフセット（ａ，ｂ）の定義を模式的に表現する。このように構成することで、パラメータの定義が一見して把握可能になり、ユーザ・フレンドリーな設定操作が実現できる。
【００７３】
［本発明の効果］
以上のように、画像編集装置２０は、第１のサイズを有する刷版２８又は印刷用紙４０の上に少なくとも１つのコンテンツ画像（コンテンツ画像群５０）を形成するための製版用データ７２に基づき、第１のサイズよりも小さい第２のサイズを有する校正用紙３８の上に校正画像５４を形成するための校正用データ７８を作成する。
【００７４】
そして、画像編集装置２０は、製版用データ７２が表す第１の画像領域１３０の中から一部の領域（トリム領域１３２）を抽出し、校正画像５４としての１つのトリム画像１５２を切り出す画像切出部８８と、校正用データ７８が表す第２の画像領域１５０の中に、切り出されたトリム画像１５２を配置する共に、複数のパッチからなるメディアウェッジ画像１５４をトリム画像１５２の周辺に配置する画像配置部９２とを備える。このように構成しているので、サイズが相対的に小さい校正用紙３８であっても、校正画像５４と併せてメディアウェッジ５６を効率よく配置できる。
【００７５】
なお、この発明は、上述した実施形態に限定されるものではなく、この発明の主旨を逸脱しない範囲で自由に変更できることは勿論である。
【００７６】
例えば、この実施形態では、校正出力の一形態としてプルーフ２４（いわゆるハードコピー）を例に説明したがこれに限らず、表示装置（図３の表示部６６）に表示する出力形態（いわゆるソフトコピー）でもあってもよい。
【符号の説明】
【００７７】
１０…印刷物生産システム                  １６…サーバ装置
１８…ＤＴＰ端末                          ２０…画像編集装置
２２…ＲＩＰ装置                          ２４…プルーフ
２６…校正機                              ２８…刷版
３２…印刷物                              ３４…オフセット印刷機
３８…校正用紙                            ４０…印刷用紙
４４…版面                                ５０…コンテンツ画像群
５４…校正画像                            ５６…メディアウェッジ
６０…制御部                              ７０…メモリ
７２…製版用データ                        ７８…校正用データ
８０…校正用データ作成部                  ８６…配置情報取得部
８８…画像切出部                          ９０…サイズ決定部
９２…画像配置部                          １００…設定画面
１０２…第１設定欄                        １０４…第２設定欄
１３０…第１の画像領域                    １３２…トリム領域
１３４、１３８（ａ〜ｃ）…配置領域        １３６…ページ領域
１５０…第２の画像領域                    １５２…トリム画像
１５４…メディアウェッジ画像
【図１】
2015000516.tif 000003
【図２】
2015000516.tif 000004
【図３】
2015000516.tif 000005
【図４】
2015000516.tif 000006
【図５】
2015000516.tif 000007
【図６】
2015000516.tif 000008
【図７】
2015000516.tif 000009
【図８】
2015000516.tif 000010